(57)【要約】【課題】  伸ばした上でルーバーを自在に回動して入ってくる光量や風量を調節したり、不使用時は縮めて畳んで収納可能な縦型ルーバー装置を提供する。【解決手段】  平行設置された上下のガイドレール上に移動ボックス体が設けられこの移動ボックス体から持出しされた角度変更手段を有する回動軸にルーバーが取付されて１ユニットが形成され、このユニットが上下のガイドレール上に複数ユニット設けられ、これらがレール上を順次移動して全伸時には整然と並んだ上で各ルーバーを同時に開閉角度自在に調整することが出来、不要時はルーバーを全開角度にした上で各ユニットを一方に集めて収納することが出来る縦型ルーバー装置【選択図】図１
2008261195.tif 000002
【特許請求の範囲】
【請求項１】
平行に設けられた上下のガイドレール上に、ルーバーの上下長手方向両端の中央部に垂直に移動ボックス体から持出しされた回動軸が係合され、この上下の移動ボックス体のうち少なくとも一方は角度変更手段を有するものであり、この移動ボックス体がガイド車により前記上下のガイドレール上を往復可能になるように構成されてルーバーの１ユニットが形成され、このユニットが前記上下のガイドレール上に複数ユニット設けられこの複数個のユニットがこのガイドレール上を順次往復移動するための移動手段とそれぞれのユニットが全伸時に前記ガイドレール上のそれぞれの所定位置で停止する手段とそれぞれのユニットが全縮時に前記ガイドレール上のそれぞれの所定位置で停止する手段とそれぞれのユニットの全伸時においてそれぞれのルーバーが同じ角度で全開あるいは全閉停止するための全開検知停止手段および全閉検知停止手段とを備えていることを特徴とする縦型ルーバー装置
【請求項２】
上およびまたは下のレール上に載置された角度変更手段を有する複数の移動ボックス体の角度変更手段がウォームとウォームホイールとによって行なわれ、それぞれのウォームの中心部が前記レールと平行に配設された１本の軸により軸貫通され、この軸端部には軸回転駆動部が設けられ、それぞれの角度変更手段を有する移動ボックス体がこの軸方向に自在に移動可能で、しかもこの回転駆動部が回転すると貫通されたウォームが同軸回転し、ウォームホイールの回転軸に取り付けされたルーバーが同時に同じ角度で開閉することを特徴とする請求項１記載の縦型ルーバー装置。
【請求項３】
複数個の前記ユニットがレール上を順次往復移動するための移動手段として駆動モータの正逆回転により往復移動する索条体が用いられ、この索条体と先頭の移動ボックス体とが連結され、全伸時においてそれぞれの各移動ボックス体同士が互いに所定の間隔を維持して停止するための間隔規制手段が各移動ボックス体間に設けられ、最後尾の移動ボックス体が全伸時の所定位置に到達した時、前記駆動モータが停止することを特徴とする請求項２記載の縦型ルーバー装置。
【請求項４】
複数個のユニットがレール上を順次往復移動するための移動手段としてチェーンおよびスプロケットが用いられ、先頭の移動ボックス体のみが連結金具により前記チェーンに連結され、以降の前記チェーンには所定の間隔でもって先頭から離れてゆくに従って順次高さが高くなる移動ブロックがそれぞれ固定されて設けられ、一方移動ボックス体にはこの移動ブロックに対抗するように先頭から離れてゆくに従って順次高さが低くなる対抗移動ブロックがそれぞれ固定されて設けられ、上記ユニットがレール上を前進する時それぞれの移動ブロックはそれぞれの対向移動ブロックに当接してそれぞれの移動ボックス体を全伸位置まで移動させるが、後退時はそれぞれの移動ブロックはいずれの対抗ブロックにも接触しないように構成され、また、上および下のレールのうち左右のいずれか一方側のそれぞれの移動ボックス体の全伸停止位置に先頭から離れてゆくに従って順次長さが短くなる停止ブロックがそれぞれ固定されて設けられ、一方それぞれの移動ボックス体にはこの停止ブロックに対抗するように先頭から離れてゆくに従って順次長さが長くなる対抗停止ブロックがそれぞれ設けられ、上記ユニットがレール上を移動してそれぞれの全伸位置に達した時それぞれの対抗停止ブロックはそれぞれの停止ブロックに当接してそれぞれの移動ボックス体を全伸位置で停止させるが、後退時はそれぞれの対抗停止ブロックはいずれの停止ブロックにも接触しないように構成されていることを特徴とする請求項２記載の縦型ルーバー装置。
【請求項５】
チェーンに固定されて設けられた前記移動ブロックがチェーン連結部で回動可能なフックであり、前記対抗ブロックがこのフックに対向する掛かり穴を有する対抗移動具であることを特徴とする請求項４記載の縦型ルーバー装置。
【請求項６】
チェーンに回動連結されて設けられたフックの連結部とフックとの間に伸縮自在の弾性体が設けられていることを特徴とする請求項５記載の縦型ルーバー装置。
【請求項７】
上記の請求項１乃至請求項６により構成された縦型ルーバー装置を１グループとし、このグループが縦列およびまたは横列に複数集合することにより構成されてなる縦型ルーバー装置。
【発明の詳細な説明】
【技術分野】
【０００１】  本発明は縦型のルーバー装置に関する。
【背景技術】
【０００２】    ビルやマンションには内部におけるプライバシー保護や強い日差しが中に入り込むことを保護する目的でブラインドが用いられることがあり、その他にもアパートやマンションのベランダにも同様の理由や出入りなどを目的としてルーバー装置が用いられることがある。それらは必ずしも常時必要なものでもなく、室内が暖かくなり過ぎるが空調設備を用いるには大袈裟過ぎるため窓を開けて風を入れたり、中から外を眺める時、単にブラインドの角度を全開角度にするだけではうっとうしい場合があり、またベランダに設置した場合には出入口を設けたいなどの要求もあり、そのため固定して設置されたものより、位置を移動できたりコンパクトに仕舞えたりするものが望まれてきていた。そして、これらの要望にこたえるようにして、複数のルーバー材と、上下部ガイドレールと、上下のル−バー材取付具（または持出吊具）と、上下部リンクと、各ルーバー材の屋内側に配置したサイドリンクとを備え、これらがガイドレール長手方向に伸縮自在であり、更にサイドリンクに各ルーバー材の屋内側端部が垂直軸回りに回転自在に保持してある縦型ルーバー装置（特許文献１参照）や各種の縦型ブラインドなどが提供されてきていた。【０００３】
【特許文献１】  特開２００６−３２８８１０号公報
【発明の開示】
【発明が解決しようとする課題】
【０００４】  しかしながら縦型ブラインドは上部のみが吊持ちされているため窓が開かれている場合などは強風によって下側が室内側に向かってあおられるなどの不具合があり、一方特許文献１のものはルーバーが上下間固定してあるため上記した問題は生じないが、上に下に設けられたリンクやサイドリンクの例えば途中のルーバーが何らかの不具合が生じた際の交換などにはまず屋内側に設けられたサイドリンクをすべて取り外した上でないと次の作業が実施できず大掛かりなものとなるという問題点があり、このサイドリンクは屋外側からは見えないもの屋内からはまともに目に入るため屋内側からの意匠にも問題があった。本発明は掛かる問題点を解決することを目的として提供されたものである。
【課題を解決するための手段】
【０００５】    本発明は一つには平行に設けられた上下のガイドレール上に、ルーバーの上下長手方向両端の中央部に垂直に移動ボックス体から持出しされた回動軸が係合され、この上下の移動ボックス体のうち少なくとも一方は角度変更手段を有するものであり、この移動ボックス体がガイド車により前記上下のガイドレール上を往復可能になるように構成されてルーバーの１ユニットが形成され、このユニットが前記上下のガイドレール上に複数ユニット設けられこの複数個のユニットがこのガイドレール上を順次往復移動するための移動手段とそれぞれのユニットが全伸時に前記ガイドレール上のそれぞれの所定位置で停止する手段とそれぞれのユニットが全縮時に前記ガイドレール上のそれぞれの所定位置で停止する手段とそれぞれのユニットの全伸時においてそれぞれのルーバーが同じ角度で全開あるいは全閉停止するための全開検知停止手段および全閉検知停止手段とを備えていることを特徴とする縦型ルーバー装置あり、また一つには上およびまたは下のレール上に載置された角度変更手段を有する複数の移動ボックス体の角度変更手段がウォームとウォームホイールとによって行なわれ、それぞれのウォームの中心部が前記レールと平行に配設された１本の軸により軸貫通され、この軸端部には軸回転駆動部が設けられ、それぞれの角度変更手段を有する移動ボックス体がこの軸方向に自在に移動可能で、しかもこの回転駆動部が回転すると貫通されたウォームが同軸回転し、ウォームホイールの回転軸に取り付けされたルーバーが同時に同じ角度で開閉することを特徴とする縦型ルーバー装置であり、また一つには複数個の前記ユニットがレール上を順次往復移動するための移動手段として駆動モータの正逆回転により往復移動する索条体が用いられ、この索条体と先頭の移動ボックス体とが連結され、全伸時においてそれぞれの各移動ボックス体同士が互いに所定の間隔を維持して停止するための間隔規制手段が各移動ボックス体間に設けられ、最後尾の移動ボックス体が全伸時の所定位置に到達した時、前記駆動モータが停止することを特徴とする縦型ルーバー装置でありまた一つには複数個のユニットがレール上を順次往復移動するための移動手段としてチェーンおよびスプロケットが用いられ、先頭の移動ボックス体のみが連結金具により前記チェーンに連結され、以降の前記チェーンには所定の間隔でもって先頭から離れてゆくに従って順次高さが高くなる移動ブロックがそれぞれ固定されて設けられ、一方移動ボックス体にはこの移動ブロックに対抗するように先頭から離れてゆくに従って順次高さが低くなる対抗移動ブロックがそれぞれ固定されて設けられ、上記ユニットがレール上を前進する時それぞれの移動ブロックはそれぞれの対向移動ブロックに当接してそれぞれの移動ボックス体を全伸位置まで移動させるが、後退時はそれぞれの移動ブロックはいずれの対抗ブロックにも接触しないように構成され、また、上および下のレールのうち左右のいずれか一方側のそれぞれの移動ボックス体の全伸停止位置に先頭から離れてゆくに従って順次長さが短くなる停止ブロックがそれぞれ固定されて設けられ、一方それぞれの移動ボックス体にはこの停止ブロックに対抗するように先頭から離れて��くに従って順次長さが長くなる対抗停止ブロックがそれぞれ設けられ、上記ユニットがレール上を移動してそれぞれの全伸位置に達した時それぞれの対抗停止ブロックはそれぞれの停止ブロックに当接してそれぞれの移動ボックス体を全伸位置で停止させるが、後退時はそれぞれの対抗停止ブロックはいずれの停止ブロックにも接触しないように構成されている縦型ルーバー装置であり、更にまた一つはチェーンに固定されて設けられた前記移動ブロックがチェーン連結部で回動可能なフックであり、前記対抗ブロックがこのフックに対向する掛かり穴を有する対抗移動具であることを特徴とする請求項４記載の縦型ルーバー装置であり、また一つは  チェーンに回動連結されて設けられたフックの連結部とフックとの間に伸縮自在の弾性体が設けられていることを特徴とする請求項５記載の縦型ルーバー装置であり、また一つは今まで前述したように構成された縦型ルーバー装置を１グループとし、このグループが縦列およびまたは横列に複数集合することにより構成されてなる縦型ルーバー装置である。【０００６】    それぞれのユニットの全伸時とはそれぞれの移動ボックス体がガイドレール上を所定の間隔を有して一杯に広がった状況すなわちルーバー回動により窓全面を覆うことが出来る状況を示し、全縮時とは窓と垂直方向にルーバーが整えられた上それぞれの移動ボックス体が互いに接してルーバーを最も小さく折畳んだ状況を表わしている。【０００７】    所定の間隔を維持して停止させるための間隔規制手段は通常の紐やチェーンやワイヤなどが好ましく、ルーバーユニットを全縮させる場合は移動ブロック体同士が当接するように構成する必要があるためこれらの紐やワイヤなどを、ゼンマイバネを用いて巻き取る手段を付加させれば更に好ましい。
【発明の効果】
【０００８】    本発明の縦型ルーバー装置はルーバーの上下長手方向両端の中央部と垂直に移動ボックス体から持出しされた回動軸とが係合され、この上下の移動ボックス体のうち少なくとも一方は角度変更手段を有するものであり、この移動ボックス体がガイド車により前記上下のガイドレール上を往復可能になるように構成されてルーバーの１ユニットが形成されてなるものであるため建物の幅に応じてユニットを増減できるという効果があり、上下のガイドレールを取付後、このユニットを順次敷設し、その後でこれらのユニット同士を連繋手段を用いて連繋すればよいため仕事がし易いという効果がある。またこのルーバーは上下の両端で回動軸と係合させるため両端部に平鋼がビス留めされて設けられているため平鋼の取り付けビスを外すだけで途中のルーバーの交換が容易に出来るし、サイドリンクや上下のリンクなどが不要であるため意匠的にもスッキリしたものになる。
また複数ユニットを１グループ単位としてこの構成を複数グループ集合させることにより建物の形状に応じて自在な設計が可能である。
【発明を実施するための最良の形態】
【０００９】    本発明実施例の縦型ルーバー装置を図に基づいて説明すると図１は本装置の構成を示す斜視図であり、図２は１ユニットの構成を示す斜視図、図３は１ユニットを上下のガイドレール上に収めた時の構成を示す断面図、図４は実施例１の各移動ボックス体の伸び途中における移動状況を示す説明図、図５は実施例１の移動ボックス体の全伸停止時における状況を示す説明図、図６、図７は実施例２〜４の全縮・全伸時における定位置停止における状況を示す説明図、図８、図９は実施例２の全縮・全伸時における各パーツの移動状況を示す説明図、図１０、図１１は実施例３の全縮・全伸時における各パーツの移動状況を示す説明図、図１２は実施例３と異なるコイルスプリング付フックの正面図、図１３、図１４は上記実施例を複数グループ連ねた縦型ルーバー装置の全縮、全伸時における正面図である。【００１０】    実施例１の構成を図に基づいて説明すると平行に設けられた上下のガイドレール２、２にルーバー１の上下長手方向両端の中央部と移動ボックス体３、３から持出しされた回動軸４、４とが係合され、上下の移動ボックス体３内には図３に示すようにウォーム５と、回動軸４が連結されたウォームホイール７とによるルーバー１の角度変更機構が組み込まれ、この移動ボックス体３、３がガイド車７により前記上下のガイドレール２、２上を往復可能になるように構成されて図２に示すルーバーの１ユニットが形成され、実施例１にはこのユニットがガイドレール２、２上に３ユニット設けられてなるものである。移動ボックス内については図３に示すように回動軸４の取り出し方向が異なるだけで内部の構成は同じであるため、以後、上のガイドレール２についての構成を説明し、下のガイドレール上のものは同様とする。【００１１】  ガイドレール２上に敷設された３個の移動ボックス体３の上方にベルト８とプーリ９とによる移動装置が張設され一方のプーリ９には駆動モータ１０Ａが設けられこのベルト８に、先頭の移動ボックス体３が連結されている。先頭の移動ボックス体３と２番目の移動ボックス体３、２番目の移動ボックス体３と最後尾の移動ボックス体３との間にはそれぞれ所定の間隔を規制する紐１１Ａが両側に設けられており、更に最後尾の移動ボックス体３の後側には最後尾の移動ボックス体３が所定の全伸位置に達した際にピンと張る紐１１Ｂが設けられていて紐１１Ｂがピンと張られた際に全伸検知のリミットスイッチ（図示せず）が働いて駆動モータ１０Ａが停止するように構成されている。また、それぞれの移動ボックス体３にはそれぞれの移動ボックス体３の衝突時の損傷を防止するため衝突緩衝具２２が設けられている。【００１２】    また、図１と図３とから明らかなようにそれぞれの移動ボックス体に設けられたそれぞれのウォーム５の中心部には６角軸貫通穴が設けられており、ガイドレール２と平行して６角軸１２が３つのウォーム５の貫通穴に貫通されている。この６角軸１２は両端を軸受固定されており６角軸端部には駆動モータ１０Ｂが設けられている。そのため６角軸１２に沿ってそれぞれの移動ボックス体３はガイドレール２上を自在に往復移動が可能である。また、先頭の移動ボックス体３の下部にはルーバー１が全開角度位置に���した時即ち窓と直角になった時６角軸回転用の駆動モータ１０Ｂを止める全開検知用リミットスイッチ（図示せず）と全開位置から回転してルーバー１が全閉する位置の達した時駆動モータ１０Ｂを止める全閉検知用リミットスイッチ（図示せず）が設けられている。【００１３】    この６角軸回転用の駆動モータ１０Ｂは押しボタンを押している間は６角軸が回転し、ボタンを離せば停止し、前述したいずれかのリミットに到達すればボタン押しの有無にかかわらず自動的に駆動モータ１０Ｂは停止する。また、ベルト８移動用の駆動モータ１０Ａはルーバー１が全開検知用のリミットスイッチ（図示せず）が効いている時のみ駆動可能なように安全設計されている縦型ルーバー装置である。また、下側のガイドレールの上を往復運動する移動ボックス同士の連繋構成は上側のガイドレールの上を往復運動する移動ボックスの連繋構成と同様である。【００１４】    次に実施例１の動作を説明する。最初縦型ルーバー装置が収納されているものとすると、まず、ルーバー伸縮用の操作スイッチ（図示せず）を操作すると駆動モータ１０Ａが起動しプーリ９が回転してベルト８が動く。このベルト８が動くと共にベルト８に連結された先頭の移動ボックス体３が移動し始め同時に下側の移動ボックスも移動し始めて最初のユニットが移動し始める。それに伴って先頭の移動ボックス体３と２番目の移動ボックス体３間に設けられた紐１１Ａが次第に伸張し始め、伸び切ると共に２番目の移動ボックス体３が動き始め第２のユニットが動き始める。同様にして２番目の移動ボックス体３と最後尾の移動ボックス体３間に設けられた紐１１Ａが伸び切ると最後尾の移動ボックス体３Ａ３が動き始め、それと共にその後ろにある紐１１Ｂもまた伸び始め、紐１１Ｂが伸び切ると共に全伸検知スイッチ（図示せず）が動作して駆動モータ１０Ａは停止する。【００１５】    次にルーバー開閉用の操作スイッチ（図示せず）を操作すると、押しボタンを押し続けている間駆動モータ１０Ｂが回転し、それに伴って６角軸１２が回転し、６角軸に貫通されたそれぞれのウォーム５が回転し連動してウォームホィール６、回動軸４が回動し始め、それぞれのルーバー１が同じ角度で一斉に回動し、押しボタンを離すことにより駆動モータ１０Ｂは停止する。そのまま押し続けていると全閉検知スイッチによりレーバー１は自動的に全閉位置で停止したまま駆動モータ１０Ｂは停止される。【００１６】    次に各ユニットの収納操作を説明すると、このままルーバー伸縮用の操作スイッチ（図示せず）を操作しても駆動モータ１０Ａは動かない。まず、ルーバー開閉用の操作スイッチ（図示せず）を操作して駆動モータ１０Ｂを回転させルーバー１を全閉位置に戻す。続いてルーバー伸縮用の操作スイッチ（図示せず）を操作すると駆動モータ１０Ａが逆転してベルト８に連結された先頭の移動ボックス体のみが戻り始めそのため紐１１Ａはゆるんでゆく。そして先頭の移動ボックス体３が２番目の移動ボックス体３に当接すると、今度は２番目の移動ボックス体３が先頭の移動ボックス体３に押されて２番目の移動ボックス体３が連れ立って戻ってゆく、同様に最後にはすべての移動ボックス体が先頭の移動ボックス体３に押されて戻り始め、先頭の移動ボックス体３が全縮位置に達すると全縮検知スイッチ（図示せず）により駆動モータ１０Ａが停止して縦型ルーバーの収納が完了する。【００１７】    次に実施例２についてその構成を説明する。実施例２は実施例１と移動ボックス体３の移動方法が異なるだけでその他の構成については実施例１と同様である。異なる部分の構成説明をすると、まずユニットの移動に関する構成は図８、図９において、３個の移動ボックス体３の上方にはチェーン１３とスプロケット１４とによる移動装置が張設され一方のスプロケット１４には駆動モータ１０Ａが設けられこのチェーン１３に、先頭の移動ボックス体３のみが連結されており、その他の移動ボックス体３との連繋はない。【００１８】    このチェーン１３において先頭の移動ボックス体３との連結部以降においてはチェーン１３に所定の間隔でもって、先頭の移動ボックス体３から離れてゆくに従って順次高さが高くなる移動ブロック１５がそれぞれ固定されて設けられ、一方２番目の移動ボックス体３と最後尾の移動ボックス体３とにはこの移動ブロック１５に対抗するように先頭から離れてゆくに従って順次高さが低くなる対抗移動ブロック１６がそれぞれ固定されて設けられ、上記がレール２上を前進する時それぞれの移動ブロック１５はそれぞれの対向移動ブロック１６に当接してそれぞれの移動ボックス体を全伸位置まで移動させるが、後退時はそれぞれの移動ブロック１５はいずれの対抗移動ブロック１６にも接触しないように構成されている。【００１９】    次に各ユニットの停止に関する構成を図６、図７により説明すると図６、図７はそれぞれ各移動ボックス体３の全縮停止、全伸停止状態を示したものであり、それぞれの移動ボックス体３はその間を往復移動することになり、この図においては説明をより分かり易くするため、移動装置と貫通６角軸の構成は省略してある。実施例２には上および下のレール２、２のうち左右のいずれか一方側のそれぞれの移動ボックス体３の全伸停止位置に先頭から離れてゆくに従って順次長さが短くなる停止ブロック１７がそれぞれ固定されて設けられ、一方先頭を除く２番目、最後尾の移動ボックス体３にはこの停止ブロックに対抗するように先頭から離れてゆくに従って順次長さが長くなる対抗停止ブロックがそれぞれ設けられ、それぞれの移動ボックス体３がレール上を移動してそれぞれの全伸位置に達した時それぞれの対抗停止ブロック１８はそれぞれの停止ブロック１７に当接してそれぞれの移動ボックス体を全伸位置で停止させるが、後退時はそれぞれの対抗停止ブロック１８はいずれの停止ブロック１７にも接触しないように構成されている。このように前進は停止ブロック１７により阻まれ、後退はチェーン１３に取付された移動ブロック１５により阻まれるため各ユニットは所定の間隔を保ったまま固定されることになる。【００２０】    このそれぞれの停止ブロック１７の長さと対抗停止ブロック１８との長さの関係をより詳しく説明すると先頭の停止ブロック１７の長さは先頭の移動ボックス体３が全伸時に当接して停止する長さであり、２番目の停止ブロック１７の長さは先頭の移動ボックス体３が後退して移動する際には接触しない長さである。２番目の移動ボックス体３に設け��れる対抗停止ブロック１８の長さは２番目の停止ブロック１７に当接する長さであり、最後尾の停止ブロック１７の長さは２番目の移動ボックス体３Ａ２に設けられた対抗停止ブロック１８が後退して移動する際に接触しない長さであり、最後尾の移動ボックス体３に設けられる対抗停止ブロック１８の長さは、最後尾の移動ボックス体３に当接する長さになる。【００２１】    一般にＮ個のユニットのルーバー１が設けられた場合のＮ個の停止ブロック１７の長さは先頭の停止ブロック１７の長さは先頭の移動ボックス体３が当接する長さであり、Ｎ番目の停止ブロックの長さはＮ−１番目の対抗停止ブロック１８が接触しない長さであれば良く、Ｎ番目の対抗停止ブロック１８はＮ番目の停止ブロック１７に当接する長さであれば良い。【００２２】    次に実施例２の各ユニットの伸縮移動動作について説明する。最初図８に示すように縦型ルーバー装置が収納されているものとすると、まず、ルーバー伸縮用の操作スイッチ（図示せず）を操作すると駆動モータ１０Ａが起動しスプロケット１４が回転してチェーン１３が動く。このチェーン１３が動くと共にチェーン１３に連結された先頭の移動ボックス体３が移動し始め同時に下側の移動ボックス体３も移動し始めて最初のユニットが移動し始める。チェーン１３が所定長さだけ移動すると今度は最初の移動ブロック１５が２番目の移動ボックス体３に設けられた対抗移動ブロック１６に当接しそれに伴って２番目の移動ボックス体３が移動し始める。更にチェーン１３が所定長さだけ移動すると今度は最後尾の移動ブロック１５が最後尾の移動ボックス体３に設けられた対抗移動ブロック１６に当接しそれに伴って最後尾の移動ボックス体３が移動し始める。そして３つの移動体はチェーン１３の移動に伴って更に移動し、先頭の移動ボックス体３が全伸位置に達して停止ブロック１７に当接すると同時に全伸検知スイッチ（図示せず）は動作して駆動モータ１０Ａは停止する。その時それぞれの移動ボックス体３はそれぞれの停止ブロック１７に当接し駆動モータ駆動モータ１０Ａは停止状態であるためそれぞれの移動ボックス体３はそれぞれの停止ブロック１７及び対抗停止ブロック１８とそれぞれの移動ブロック１５及び対抗移動ブロック１６とにより位置固定されることになる。続いてルーバーの開閉動作であるが開閉動作については実施例１と同様であるため動作説明を省略する。【００２３】    次に収納動作であるがルーバーは既に全開位置に戻されているものとして説明する。ルーバー伸縮用の操作スイッチ（図示せず）を操作すると駆動モータ１０Ａが逆転起動しスプロケット１４が逆転してチェーン１３が先程とは反対方向に動く、チェーンに連結された２個の移動ブロックは対抗移動ブロックから離れてゆき、先の移動ブロックは最後尾の対抗移動ブロックには接触せずに後退してゆく。【００２４】    チェーン１３に連結された先頭の移動ボックス体３はチェーン１３の逆走に伴い次第に収納方向に移動して、やがて先頭の移動ボックス体３が２番目の移動ボックス体３に当接すると２番目の移動ボックス体３が先頭の移動ボックス体３に押されて先頭と２番目の移動ボックス体３が連れ立って戻ってゆく、同様に最後にはすべての移動ボック���が先頭にあった移動ボックス体３に押されて戻り始め、先頭の移動ボックス体３が全縮位置に達すると全縮検知スイッチ（図示せず）により駆動モータ１０Ａが停止して縦型ルーバーの収納が完了する。【００２５】    次に実施例３についてその構成を説明すると、実施例３は実施例２のチェーン１３に固着された移動ブロック１５とそれぞれの移動ボックス体３に設けられた対抗移動ブロック１６とをそれぞれ図１０、図１１に示すようにチェーン連結部において回動可能なフック１９とフック１９に対向する掛かり穴を有する対抗移動具２０とに代えたものであり、より確実に連繋させて移動させようとしたものであり、その他の構成、動作については実施例２と同様であるため説明を省略する。この実施例３と実施例２とを比較した場合図１０、図８に示すように移動ボックス体３が全縮位置に達したときを実施例２の場合は移動ブロック１５の一部は上側のチェーン１３に移動するため逆立ちした格好になり、実施例３の場合は上側のチェーン１３に移動するがフック１９は下を向いたままなので厳密に言うと実施例３の方がガイドレール全体の高さを低く抑えることが出来る。【００２６】    次に実施例４についてその構成を説明すると、実施例４は実施例３のチェーン１３のチェーン連結部において図１２に示すようにこの連結部とフック１９との間に伸縮自在なコイルバネ２１を設けたもので全伸時におけるそれぞれの移動ボックス体３のうちどれかが停止ブロック１７当接不良を生じた場合移動誤差を吸収させることを念頭に置いたものであル。その他の構成、動作については実施例３と同様であるため構成、動作の説明を省略する。【００２７】    次に実施例５についてその構成を説明すると図１３は同じ構成のものを３グループ横並びに並べたもので全縮時を表わし、図１４は全伸時でルーバー１を全閉にしたものである。図１３、図１４に示したように実施例５は平行に設けられた長い上下のガイドレール２、２に、実施例１〜４において示した構成のものを１グループとして、このグループを複数グループ集合させることによって新たに構成された縦型ルーバー装置である。相当横長の窓の場合は全伸、全縮させるのに相当数の時間が掛かり全縮の場合見た目不釣合いになるため時間短縮と視覚的調和を加味させたものである。この構成の場合はそれぞれのグループのユニット数を変更させてその建物に合った構成の縦型ルーバー装置が創作できる。それぞれの動作については前述したものと同様であるため説明を省略する。【００２８】  本実施例においては、今まで上部の移動ボックス体２と下部の移動ボックス体２とは内部構成が同じものとして話を進めてきたが、下部の移動ボックス体２の内部は角度変更手段を取り除いて単なる移動する軸受としても構わない。
【図面の簡単な説明】
【００２９】
【図１】本装置の構成を示す斜視図
【図２】１ユニットの構成を示す斜視図
【図３】１ユニットを上下のガイドレール上に収めた時の構成を示す断面図
【図４】実施例１の移動ボックス体の伸び移動途中における移動状況を示す説明図
【図５】実施例１の移動ボックス体の全伸停止時における状況を示す説明図
【図６】実施例２〜４の全縮時における定位置停止における状況を示す説明図
【図７】実施例２〜４の全伸時における定位置停止における状況を示す説明図
【図８】実施例２の全縮時における各パーツの移動状況を示す説明図
【図９】実施例２の全伸時における各パーツの移動状況を示す説明図
【図１０】実施例３の全縮時における各パーツの移動状況を示す説明図
【図１１】実施例３の全伸時における各パーツの移動状況を示す説明図
【図１２】実施例３と異なるコイルスプリング付フックの正面図
【図１３】複数グループ連ねた縦型ルーバー装置の全縮時における正面図
【図１４】複数グループ連ねた縦型ルーバー装置の全伸時における正面図
【符号の説明】
【００３０】  １、ルーバー
２、ガイドレール
３、移動ボックス体
４、回動軸
５、ウォーム
６、ウォームホイール
７、ガイド車
８、ベルト
９、プーリ
１０、駆動モータ
１１、紐
１２、６角軸
１３、チェーン
１４、スプロケット
１５、移動ブロック
１６、対抗移動ブロック
１７、停止ブロック
１８、対抗停止ブロック
１９、フック
２０、対抗移動具
２１、コイルバネ
２２、衝突緩衝具
【図１】
2008261195.tif 000003
【図２】
2008261195.tif 000004
【図３】
2008261195.tif 000005
【図４】
2008261195.tif 000006
【図５】
2008261195.tif 000007
【図６】
2008261195.tif 000008
【図７】
2008261195.tif 000009
【図８】
2008261195.tif 000010
【図９】
2008261195.tif 000011
【図１０】
2008261195.tif 000012
【図１１】
2008261195.tif 000013
【図１２】
2008261195.tif 000014
【図１３】
2008261195.tif 000015
【図１４】
2008261195.tif 000016
【手続補正書】
【提出日】平成19年8月22日(2007.8.22)
【手続補正１】
【補正対象書類名】図面
【補正対象項目名】図１３
【補正方法】変更
【補正の内容】
【図１３】
2008261195.tif 000017
【手続補正２】
【補正対象書類名】図面
【補正対象項目名】図１４
【補正方法】変更
【補正の内容】
【図１４】
2008261195.tif 000018
【手続補正書】
【提出日】平成20年4月21日(2008.4.21)
【手続補正１】
【補正対象書類名】明細書
【補正対象項目名】００１０
【補正方法】変更
【補正の内容】
【００１０】
実施例１の構成を図に基づいて説明すると平行に設けられた上下のガイドレール２、２にルーバー１の上下長手方向両端の中央部と移動ボックス体３、３から持出しされた回動軸４、４とが係合され、上下の移動ボックス体３内には図３に示すようにウォーム５と、回動軸４が連結されたウォームホイール６とによるルーバー１の角度変更機構が組み込まれ、この移動ボックス体３、３がガイド車７により前記上下のガイドレール２、２上を往復可能になるように構成されて図２に示すルーバーの１ユニットが形成され、実施例１にはこのユニットがガイドレール２、２上に３ユニット設けられてなるものである。移動ボックス内については図３に示すように回動軸４の取り出し方向が異なるだけで内部の構成は同じであるため、以後、上のガイドレール２についての構成を説明し、下のガイドレール上のものは同様とする。
【手続補正２】
【補正対象書類名】明細書
【補正対象項目名】００１４
【補正方法】変更
【補正の内容】
【００１４】
次に実施例１の動作を説明する。最初縦型ルーバー装置が収納されているものとすると、まず、ルーバー伸縮用の操作スイッチ（図示せず）を操作すると駆動モータ１０Ａが起動しプーリ９が回転してベルト８が動く。このベルト８が動くと共にベルト８に連結された先頭の移動ボックス体３が移動し始め同時に下側の移動ボックス体も移動し始めて最初のユニットが移動し始める。それに伴って先頭の移動ボックス体３と２番目の移動ボックス体３間に設けられた紐１１Ａが次第に伸張し始め、伸び切ると共に２番目の移動ボックス体３が動き始め第２のユニットが動き始める。同様にして２番目の移動ボックス体３と最後尾の移動ボックス体３間に設けられた紐１１Ａが伸び切ると最後尾の移動ボックス体３が動き始め、それと共にその後ろにある紐１１Ｂもまた伸び始め、紐１１Ｂが伸び切ると共に全伸検知スイッチ（図示せず）が動作して駆動モータ１０Ａは停止する。
【手続補正３】
【補正対象書類名】明細書
【補正対象項目名】００１５
【補正方法】変更
【補正の内容】
【００１５】
次にルーバー開閉用の操作スイッチ（図示せず）を操作すると、押しボタンを押し続けている間駆動モータ１０Ｂが回転し、それに伴って６角軸１２が回転し、６角軸に貫通されたそれぞれのウォーム５が回転し連動してウォームホィール６、回動軸４が回動し始め、それぞれのルーバー１が同じ角度で一斉に回動し、押しボタンを離すことにより駆動モータ１０Ｂは停止する。そのまま押し続けていると全閉検知スイッチによりルーバー１は自動的に全閉位置で停止したまま駆動モータ１０Ｂは停止される。
【手続補正４】
【補正対象書類名】明細書
【補正対象項目名】００２０
【補正方法】変更
【補正の内容】
【００２０】
このそれぞれの停止ブロック１７の長さと対抗停止ブロック１８との長さの関係をより詳しく説明すると先頭の停止ブロック１７の長さは先頭の移動ボックス体３が全伸時に当接して停止する長さであり、２番目の停止ブロック１７の長さは先頭の移動ボックス体３が後退して移動する際には接触しない長さである。２番目の移動ボックス体３に設けられる対抗停止ブロック１８の長さは２番目の停止ブロック１７に当接する長さであり、最後尾の停止ブロック１７の長さは２番目の移動ボックス体３に設けられた対抗停止ブロック１８が後退して移動する際に接触しない長さであり、最後尾の移動ボックス体３に設けられる対抗停止ブロック１８の長さは、最後尾の停止ブロック１７に当接する長さになる。
【手続補正５】
【補正対象書類名】明細書
【補正対象項目名】００２２
【補正方法】変更
【補正の内容】
【００２２】
次に実施例２の各ユニットの伸縮移動動作について説明する。最初図８に示すように縦型ルーバー装置が収納されているものとすると、まず、ルーバー伸縮用の操作スイッチ（図示せず）を操作すると駆動モータ１０Ａが起動しスプロケット１４が回転してチェーン１３が動く。このチェーン１３が動くと共にチェーン１３に連結された先頭の移動ボックス体３が移動し始め同時に下側の移動ボックス体３も移動し始めて最初のユニットが移動し始める。チェーン１３が所定長さだけ移動すると今度は最初の移動ブロック１５が２番目の移動ボックス体３に設けられた対抗移動ブロック１６に当接しそれに伴って２番目の移動ボックス体３が移動し始める。更にチェーン１３が所定長さだけ移動すると今度は最後尾の移動ブロック１５が最後尾の移動ボックス体３に設けられた対抗移動ブロック１６に当接しそれに伴って最後尾の移動ボックス体３が移動し始める。そして３つの移動体はチェーン１３の移動に伴って更に移動し、先頭の移動ボックス体３が全伸位置に達して停止ブロック１７に当接すると同時に全伸検知スイッチ（図示せず）は動作して駆動モータ１０Ａは停止する。その時それぞれの移動ボックス体３はそれぞれの停止ブロック１７に当接し駆動モータ１０Ａは停止状態であるためそれぞれの移動ボックス体３はそれぞれの停止ブロック１７及び対抗停止ブロック１８とそれぞれの移動ブロック１５及び対抗移動ブロック１６とにより位置固定されることになる。続いてルーバーの開閉動作であるが開閉動作については実施例１と同様であるため動作説明を省略する。
【手続補正６】
【補正対象書類名】明細書
【補正対象項目名】００２８
【補正方法】変更
【補正の内容】
【００２８】
本実施例においては、今まで上部の移動ボックス体３と下部の移動ボックス体３とは内部構成が同じものとして話を進めてきたが、下部の移動ボックス体３の内部は角度変更手段を取り除いて単なる移動する軸受としても構わない。
【手続補正７】
【補正対象書類名】図面
【補正対象項目名】図３
【補正方法】変更
【補正の内容】
【図３】
2008261195.tif 000019
【手続補正８】
【補正対象書類名】図面
【補正対象項目名】図７
【補正方法】変更
【補正の内容】
【図７】
2008261195.tif 000020